【手続補正書】
【提出日】令和2年5月27日(2020.5.27)
【手続補正１】
【補正対象書類名】特許請求の範囲
【補正対象項目名】全文
【補正方法】変更
【補正の内容】
【特許請求の範囲】
【請求項１】
ウェブサイト構築システムのための方法であって、前記方法は、ハードウェアプロセッサによって実施され、前記方法は、
複数のタイプを有するコンテンツ要素、複数のタイプを有するレイアウト関連要素、および、複数ユーザの複数ウェブサイトの複数のウェブサイト構築システムコンポーネントを格納するステップであって、
前記複数のコンポーネントは複数のタイプを有し、
前記複数のコンポーネントタイプは、視覚的に編集可能であり、
前記レイアウト関連要素は、前記ウェブサイト構築システムコンポーネントのタイプおよびコンテンツ要素タイプのリポジトリに基づく、ステップと、
前記ウェブサイト構築システムコンポーネントのタイプに基づいてサイトの直接的な作成および編集を提供するステップと、
ユーザへの少なくとも１つのアンケートに対する回答、および、利用可能な事業識別情報のうちの少なくとも１つに基づいて関連情報を収集するステップであって、少なくとも前記ウェブサイト構築システムの外部および内部にあるソースから情報を収集する、ステップと、
前記関連情報に基づいてコンテンツ要素タイプからコンテンツ要素を生成するステップと、
前記コンテンツ要素を、所定のレイアウト関連要素、事業ファミリ関連サイト構造、事業業界関連メディアおよびデザインキットのうちの関連するものとマッチングするステップと、
前記所定のレイアウト関連要素、前記事業ファミリ関連サイト構造、前記事業業界関連メディアおよび前記デザインキットのうちの少なくとも１つに基づいて、前記ユーザのウェブサイトの要素に対する複数のレイアウトソリューションを生成するステップと、
前記レイアウト関連要素の階層から構成されユーザが選択する前記レイアウトソリューションから、ウェブサイトを生成するステップであり、
前記ウェブサイトを生成するステップは、
前記少なくとも１つのアンケートを実行し、少なくとも、前記ユーザおよび前記ユーザの事業に関する前記ユーザからの情報を受信することと、
前記受信情報に基づいて前記事業ファミリおよび前記事業業界を決定することと
を含み、
前記サイトの直接的な作成および編集を提供するステップは、前記ユーザが、前記生成されているウェブサイトを、コンポーネント編集インターフェースを使用して編集することを提供するステップであり、
業界好適選好美観を有する少なくとも１つの業界好適選好レイアウト要素、前記ユーザの要素ベースのウェブサイト、および、アンケートのための改善された質問要素タイプのうちの少なくとも１つを生成するために、前記受信情報および前記関連情報に基づいて、少なくとも前記事業業界および前記事業ファミリ内の前記ウェブサイト構築システムの他のユーザからのコンテンツ、美観およびレイアウト関連要素を分析するステップと、
前記コンテンツ、美観およびレイアウト関連要素を分析するステップの出力に基づいて前記ユーザとの対話を発展させ、継続連続的に改善することを提供可能にするために人工知能を使用するステップと
を含む、方法。
【請求項２】
前記ウェブサイトを生成するステップは、コンテンツ要素タイプ、レイアウト要素タイプおよびアンケートタイプのうちの少なくとも１つを作成することをさらに含む、請求項１に記載の方法。
【請求項３】
前記コンテンツ要素タイプのコンテンツを提供するために、前記回答を分析するステップをさらに含む、請求項１に記載の方法。
【請求項４】
前記レイアウト関連要素タイプは、レイアウト要素、レイアウトグループおよびプリセットページセクションのうちの少なくとも１つから構成される、請求項１に記載の方法。
【請求項５】
前記ウェブサイトを生成するステップは、検索エンジンインデックス化およびプロモーション、専門家インデックスサイト、翻訳キットの作成および再統合、ならびに、サイト所有者へのマーケティングのうちの少なくとも１つに向けて、前記コンテンツ要素の目的を変更することをさらに含む、請求項１に記載の方法。
【請求項６】
前記収集するステップは、
前記ウェブサイト構築システムの外部にある一般ユーザに関連するソースおよびリソースから前記関連情報を収集することと、
前記ウェブサイト構築システムの内部から前記関連情報を収集することと
を含む、請求項１に記載の方法。
【請求項７】
前記作成するステップは、
サイト設計者からの定義の受信、スキーマの定義、および、スキーマのインポートのうちの少なくとも１つを使用して、コンテンツ要素インスタンスのコンテンツ要素タイプを作成および編集することと、
アンケートインスタンスの前記アンケート内に含まれるべきアンケートタイプを作成および編集することと、
サイト設計者からの定義の受信、スキーマの定義、所与のフィールドセットからの作成およびスキーマのインポートのうちの少なくとも１つを使用して、レイアウト関連要素インスタンスのコンテンツ要素タイプを作成および編集することと、
サイト設計者からの定義の受信、設計規則の適用、所与のフィールドセットからの作成およびスキーマのインポートのうちの少なくとも１つを使用して、既存のデザインキット、前記既存のデザインキットの使用および既存のデザインキットの組合せに関する収集されているシステム情報に基づいてデザインキットを作成および編集することと、
前記サイト設計者に、前記コンテンツ要素インスタンスのコンテンツ要素タイプを作成および編集すること、前記アンケートタイプを作成および編集すること、前記レイアウト関連要素インスタンスのレイアウトタイプを作成および編集すること、ならびに、前記デザインキットを作成および編集することに対する前記規則を定義することを許容することと
のうちの少なくとも１つを含む、請求項２に記載の方法。
【請求項８】
前記レイアウト関連要素インスタンスのコンテンツ要素タイプを作成および編集することは、
前記レイアウト関連要素の前記コンポーネントの重要性の順序を決定することと、
前記コンポーネントの空間的位置を決定することと、
前記コンポーネントのサイズを決定することと、
所定のパラメータに従って前記コンポーネントのレイアウトを調整することと
を含む、請求項７に記載の方法。
【請求項９】
外部ユーザおよび他の一般ユーザの関連するソースおよびリソースから前記関連情報を収集することは、
関連するソーシャルメディアサイトから前記関連情報をインポートすることと、
データフィードから前記関連情報を抽出およびインポートすることと、
外部ウェブサイトからの前記関連情報の関連性をインポートおよび分析することと、
抽出および分析されている前記関連情報とコンテンツ要素フィールドとの間でマッチングすることと
を含む、請求項６に記載の方法。
【請求項１０】
前記関連情報に関連するオフライン文書をインポートするステップと、
前記オフライン文書の関連性を分析するステップと
をさらに含む、請求項９に記載のシステム。
【請求項１１】
前記ウェブサイト構築システムの内部から前記関連情報を前記収集することは、
ユーザプライバシを保持しながら、前記ウェブサイト構築システムによって格納される一般ユーザ情報を分析することと、
前記ウェブサイト構築システムによって格納される一般的なＢＩ（ビジネスインテリジェンス）情報を分析することと、
前記ユーザの編集履歴を分析することと
のうちの少なくとも１つを含む、請求項６に記載の方法。
【請求項１２】
前記マッチングするステップは、プリセットページセクションおよびレイアウト要素、前記レイアウト要素の前記コンテンツ要素の間の事前の関連付け、予め割り当てられているキーワード、共通属性、フィールドマッチング、意味的マッチングおよび水平マッチングのうちの少なくとも１つを使用する、請求項１に記載の方法。
【請求項１３】
前記複数のレイアウトソリューションを生成するステップは、
前記所定のレイアウト関連要素、前記事業ファミリ関連サイト構造、前記事業業界関連メディアおよび前記デザインキットから複数のレイアウトソリューションを生成することと、
前記複数のレイアウトソリューションを選択のために前記ユーザに提示することと
を含む、請求項１に記載の方法。
【請求項１４】
前記サイトの直接的な作成および編集を提供するステップは、
前記ユーザが前記コンポーネントの前記レイアウトを編集するときに、前記コンポーネント編集インターフェースを呼び出すことと、
リスト指向変更のためにリスト編集動作を呼び出すことと、
前記ユーザ編集を前記生成されるサイトまたはサイト領域に再適用することと
を含む、請求項１に記載の方法。
【請求項１５】
前記利用可能な事業識別情報は、前記ユーザのＧＰＳ（全地球測位システム）位置、前記ユーザのＩＰ（インターネットプロトコル）詳細、前記ユーザのスマートフォン、カメラまたはセンサを通じて抽出される情報、ならびに、前記ユーザのクライアントデバイスおよびソフトウェア詳細のうちの少なくとも１つを含む、請求項１に記載の方法。
【請求項１６】
ウェブサイト構築システムであって、
メモリと、
ハードウェアプロセッサと、
前記メモリに格納されており、複数のタイプを有するコンテンツ要素、複数のタイプを有するレイアウト関連要素、および、複数ユーザの複数ウェブサイトの複数のウェブサイト構築システムコンポーネントを格納するコンポーネントデータベースであって、
前記複数のコンポーネントは複数のタイプを有し、
前記複数のコンポーネントは視覚的に編集可能であり、
前記複数のレイアウト関連要素は、前記ウェブサイト構築システムコンポーネントタイプ、および、コンテンツ要素タイプのリポジトリに基づく、コンポーネントデータベースと、
前記ウェブサイト構築システムコンポーネントタイプに基づいてサイトの直接的な作成および編集を提供するビジュアルエディタと、
前記メモリ内に格納されている、ユーザへの少なくとも１つのアンケートに対する回答、および、利用可能な事業識別情報のうちの少なくとも１つに基づいて関連情報を収集するためのデータ収集手段であって、少なくとも前記ウェブサイト構築システムの外部および内部にあるソースから情報を収集するデータ収集手段と、
前記メモリ内に格納されている、前記関連情報に基づいてコンテンツ要素タイプからコンテンツ要素を生成するためのコンテンツ要素生成手段と、
前記メモリ内に格納されている、前記コンテンツ要素を、所定のレイアウト関連要素、事業ファミリ関連サイト構造、事業業界関連メディアおよびデザインキットのうちの関連するものとマッチングするためのマッチング手段と、
前記メモリ内に格納されている、前記所定のレイアウト関連要素、前記事業ファミリ関連サイト構造、前記事業業界関連メディアおよび前記デザインキットのうちの少なくとも１つに基づいて、前記ユーザのウェブサイトの要素に対する複数のレイアウトソリューションを生成するためのレイアウトソリューションハンドラと、
前記メモリ内に格納されている、前記レイアウト関連要素の階層から構成されユーザが選択する前記レイアウトソリューションから生成されるウェブサイトを生成するためのサイト生成システムであって、
前記少なくとも１つのアンケートを実行し、少なくとも、前記ユーザおよび前記ユーザの事業に関する前記ユーザからの情報を受信するためのアンケート実行手段と、
受信情報に基づいて前記事業ファミリおよび前記事業業界を決定するためのファミリおよび業界決定手段と
を備え、
前記ビジュアルエディタは、前記ユーザが、前記生成されているウェブサイトを、コンポーネント編集インターフェースを使用して編集することを提供する、サイト生成システムと、
業界好適美観を有する少なくとも１つの業界好適レイアウト要素、前記ユーザの要素ベースのウェブサイト、および、アンケートのための改善された質問要素タイプのうちの少なくとも１つを生成するために、前記受信情報および前記関連情報に基づいて、少なくとも前記事業業界および前記事業ファミリ内の前記ウェブサイト構築システムの他のユーザからのコンテンツ、美観およびレイアウト関連要素を分析するためのクラウドソース分析手段と、
前記クラウドソース分析手段の出力に基づいて前記ユーザとの対話を発展させ、継続的に改善することを提供するために人工知能を使用する機械学習手段と
を備える、ウェブサイト構築システム。
【請求項１７】
前記サイト生成システムは、コンテンツ要素タイプ、レイアウト要素タイプおよびアンケートタイプのうちの少なくとも１つを作成するための要素タイプ作成手段をさらに備える、請求項１６に記載のウェブサイト構築システム。
【請求項１８】
前記コンテンツ要素タイプのコンテンツを提供するために、前記回答を分析するための回答分析手段をさらに備える、請求項１６に記載のウェブサイト構築システム。